(57)【特許請求の範囲】
【請求項１】
ＩＣチップとアンテナを有するＲＦタグが実装されるＲＦタグ領域が設けられ，更に，前記ＲＦタグに記憶されるデータのバックアップとなる印字データを印字する印字領域が前記ＲＦタグ領域とは別に設けられたＲＦタグラベルが表紙に貼られたＲＦタグ付き書籍であって，前記ＲＦタグ領域がＲＦタグ付き書籍の部位によって隠れ，前記印字領域がＲＦタグ付き書籍の部位によって隠れない位置に前記ＲＦタグラベルが貼られていることを特徴とするＲＦタグ付き書籍。
【請求項２】
前記ＲＦタグ領域が背表紙と本文の間に配置され、前記印字領域が表２又は表３に配置されるように前記ＲＦタグラベルが貼られていることを特徴とする，請求項1に記載のＲＦタグ付き書籍。
【請求項３】
前記ＲＦタグ領域が表紙の折り返しで隠れ，前記印字領域が表紙の折り返しで隠れない位置に前記ＲＦタグラベルが貼られていることを特徴とする，請求項１に記載のＲＦタグ付き書籍。
【請求項４】
前記ＲＦタグ領域がカバーの折り返しで隠れ，前記印字領域がカバーの折り返しで隠れない位置に前記ＲＦタグラベルが貼れていることを特徴とする，請求項１に記載のＲＦタグ付き書籍。
【請求項５】
前記ＲＦタグラベルには，前記ＲＦタグ領域を挟むように２つの前記印字領域が設けられ，前記ＲＦタグ領域が背表紙と本文の間に配置され、一つの前記印字領域は表２に配置され，もう一つの前記印字領域は表３に配置されるように前記ＲＦタグラベルが貼られていることを特徴とする，請求項1に記載のＲＦタグ付き書籍。
【請求項６】
前記ＲＦタグの前記ＩＣチップは，前記アンテナの近傍に生じる電磁界から誘起電圧を発生する２次アンテナが接続されたストラップの形態で実装されていることを特徴とする，請求項１から請求項５のいずれか一つに記載のＲＦタグ付き書籍。
【請求項７】
ＩＣチップとアンテナを有するＲＦタグが実装されるＲＦタグ領域が設けられ，更に，前記ＲＦタグに記憶されるデータのバックアップとなる印字データを印字する印字領域が前記ＲＦタグ領域とは別に設けられたＲＦタグラベルが貼られた表紙シートであって，前記表紙シートを用いて無線綴じ製本加工した際，前記ＲＦタグ領域が背表紙と本文の間に配置され、前記印字領域が表２又は表３に配置されるように前記ＲＦタグラベルが貼られていることを特徴とする表紙シート。
【請求項８】
ＩＣチップとアンテナを有するＲＦタグが実装されるＲＦタグ領域が設けられ，更に，前記ＲＦタグに記憶されるデータのバックアップとなる印字データを印字する印字領域が前記ＲＦタグ領域とは別に設けられたＲＦタグラベルが貼られた表紙シートであって，前記表紙シートを用いて無線綴じ製本加工した際，前記ＲＦタグ領域が表紙の折り返しで隠れ，前記印字領域が表紙の折り返しで隠れない位置に前記ＲＦタグラベルが貼られていることを特徴とする表紙シート。
【請求項９】
ＩＣチップとアンテナを有するＲＦタグが実装されるＲＦタグ領域が設けられ，更に，前記ＲＦタグに記憶されるデータのバックアップとなる印字データを印字する２つの印字領域が前記ＲＦタグ領域を挟むように設けられたＲＦタグラベルが貼られた表紙シートであって，前記表紙シートを用いて無線綴じ製本加工した際，前記ＲＦタグ領域が背表紙と本文の間に配置され、一つの前記印字領域は表２に配置され，もう一つの前記印字領域は表３に配置されるように前記ＲＦタグラベルが貼られていることを特徴とする表紙シート。
【請求項１０】
ＩＣチップとアンテナを有するＲＦタグが実装されるＲＦタグ領域が設けられ，更に，前記ＲＦタグに記憶されるデータのバックアップとなる印字データを印字する印字領域が前記ＲＦタグ領域とは別に設けられたＲＦタグラベルを用いた書籍の製造方法であって，エンコード機能付きのラベルプリンタを用いて，前記ＲＦタグラベルの前記ＲＦタグを発行し，更に，前記ＲＦタグラベルの前記印字領域に前記バックアップデータを印字した後，無線綴じ製本加工した際，前記ＲＦタグ領域が書籍の部位によって隠れ，前記印字領域が書籍の部位によって隠れない位置に前記ＲＦタグラベルを貼り付けた表紙シートを製造し，前記表紙シートを用いて無線綴じ製本加工することを特徴とする，書籍の製造方法。
【請求項１１】
ＩＣチップとアンテナを有するＲＦタグが実装されるＲＦタグ領域が設けられ，更に，前記ＲＦタグに記憶されるデータのバックアップとなる印字データを印字する印字領域が前記ＲＦタグ領域とは別に設けられたＲＦタグラベルを用いた書籍の製造方法であって，エンコード機能付きのラベルプリンタを用いて，前記ＲＦタグラベルの前記印字領域に印字データを印字した後，無線綴じ製本加工した際，前記ＲＦタグラベルの前記ＲＦタグ領域が書籍の部位によって隠れ，前記印字領域が書籍の部位によって隠れない位置に前記ＲＦタグラベルを貼り付けた表紙シートを製造し，該ラベルプリンタとは異なる発行装置を用いて前記表紙シートに貼り付けられた前記ＲＦタグラベルの前記ＲＦタグを発行してから，前記表紙シートを用いて無線綴じ製本加工することを特徴とする，書籍の製造方法。
【請求項１２】
ＩＣチップとアンテナを有するＲＦタグが実装されるＲＦタグ領域が設けられ，更に，前記ＲＦタグに記憶されるデータのバックアップとなる印字データを印字する印字領域が前記ＲＦタグ領域とは別に設けられたＲＦタグラベルを用いた書籍の製造方法であって，無線綴じ製本加工した際，前記ＲＦタグ領域が書籍の部位によって隠れ，前記印字領域が書籍の部位によって隠れない位置に貼り付けた表紙シートを製造し，発行装置を用いて前記表紙シートに貼り付けられた前記ＲＦタグラベルの前記ＲＦタグを発行し，非接触のマーキング装置を用いて前記表紙シートに貼り付けられた前記ＲＦタグラベルの前記印字領域に前記バックアップデータを印字してから，前記表紙シートを用いて無線綴じ製本加工することを特徴とする，書籍の製造方法。
【発明の詳細な説明】
【技術分野】
【０００１】
本発明は，ＲＦタグが貼り付けられた書籍の技術分野に係わる。
【背景技術】
【０００２】
固体識別に利用するＲＦタグを書籍の盗難検知や在庫管理に用いることが検討されている。書籍にＲＦタグを貼り付ける場合，ＲＦタグの取り外しを防止し，更に，書籍の外観を損なうことがないように，ＲＦタグを隠した状態で貼り付けることが望ましく，例えば，特許文献１や特許文献２において，書籍を製本する際，書籍の背表紙の内側にＲＦタグを貼り付けることが提案されている。
【０００３】
しかしながら，ＲＦタグはＩＣチップが実装された電気部品であるため，書籍の製造及び流通過程においてＲＦタグが故障するケースがたまにあり，書籍にＲＦタグを貼り付ける場合は，ＲＦタグの故障に備え，ＲＦタグに記憶されているデータのバックアップデータを可視化して書籍に付与することが望ましい。
【０００４】
ＲＦタグに記憶されているデータのバックアップデータを可視化して書籍に付与する際，ＲＦタグ自体にバックアップデータを印刷してしまうと，ＲＦタグを背表紙の内側に貼り付けた場合などは，バックアップデータを目視や装置で読み取ることができなくなるし，また，バックアップデータを書籍の表紙や本文などに印刷すると，ＲＦタグ毎にバックアップデータが異なる場合は対応が取れない。
【先行技術文献】
【特許文献】
【０００５】
【特許文献１】特開２００２−３２６４７４号公報
【特許文献２】特許第４１７０６８９号公報
【発明の概要】
【発明が解決しようとする課題】
【０００６】
そこで，本発明は，書籍の背表紙の内側など，ＲＦタグを隠した状態で書籍に貼り付けた場合であっても，ＲＦタグに記憶されているデータのバックアップデータが目視や装置で読み取れるように表示されるＲＦタグ付き書籍及び製造方法を提供すると共に，ＲＦタグ毎にバックアップデータが異なる場合でも対応を取れるようにする。
【課題を解決するための手段】
【０００７】
上述した課題を解決する第１の発明は，ＩＣチップとアンテナを有するＲＦタグが実装されるＲＦタグ領域が設けられ，更に，前記ＲＦタグに記憶されるデータのバックアップとなる印字データを印字する印字領域が前記ＲＦタグ領域とは別に設けられたＲＦタグラベルが表紙に貼られたＲＦタグ付き書籍であって，前記ＲＦタグ領域がＲＦタグ付き書籍の部位によって隠れ，前記印字領域がＲＦタグ付き書籍の部位によって隠れない位置に前記ＲＦタグラベルが貼られていることを特徴とするＲＦタグ付き書籍である。
【０００８】
第１の発明のように，ＲＦタグラベルのＲＦタグをＲＦタグ付き書籍の部位で隠れるようにＲＦタグラベルを貼ることで，ＲＦタグがＲＦタグ付き書籍から取り外される可能性を低くすることができ，また，ＲＦタグに記憶しているデータのバックアップデータをＲＦタグ付き書籍の部位で隠れないように貼ることで，ＲＦタグが故障した場合であっても，バックアップデータを利用して書籍管理に係わる処理を行うことができるようになる。
【０００９】
ＲＦタグラベルのＲＦタグをＲＦタグ付き書籍の部位で隠し，バックアップデータがＲＦタグ付き書籍の部位で隠れないようにＲＦタグラベルを貼る手法としては，例えば，前記ＲＦタグ領域を背表紙と本文の間に配置し、前記印字領域を表2又は表3に配置するように前記ＲＦタグラベルを貼ることが望ましい。
【００１０】
また，前記ＲＦタグ領域を表紙またはカバーの折り返しで隠し，前記印字領域を表紙またはカバーの折り返しで隠れない位置に前記ＲＦタグラベルを貼っても，ＲＦタグラベルのＲＦタグをＲＦタグ付き書籍の部位で隠し，バックアップデータがＲＦタグ付き書籍の部位で隠れないようにＲＦタグラベルを貼ることができる。
【００１１】
更に，前記ＲＦタグラベルに，前記ＲＦタグ領域を挟むように２つの前記印字領域を設けておき，前記ＲＦタグ領域を背表紙と本文の間に配置し、一つの前記印字領域を表2に配置し，もう一つの前記印字領域を表３に配置するようにすることもできる。
【００１２】
なお，前記ＲＦタグラベルの故障を低減させたい場合は，前記アンテナの近傍に生じる電磁界から誘起電圧を発生する第２のアンテナが接続されたストラップの形態で前記ＲＦタグの前記ＩＣチップを実装するとよい。
【００１３】
更に，第２の発明は，ＩＣチップとアンテナを有するＲＦタグが実装されるＲＦタグ領域が設けられ，更に，前記ＲＦタグに記憶されるデータのバックアップとなる印字データを印字する印字領域が前記ＲＦタグ領域とは別に設けられたＲＦタグラベルが貼られた表紙シートであって，前記表紙シートを用いて無線綴じ製本加工した際，前記ＲＦタグ領域が書籍の部位によって隠れ，前記印字領域が書籍の部位によって隠れない位置に前記ＲＦタグラベルが貼られるようにした表紙シートである。
【００１４】
無線綴じ製本加工した際，前記ＲＦタグ領域が書籍の部位によって隠れ，前記印字領域が書籍の部位によって隠れない位置に前記ＲＦタグラベルを貼る態様としては，前記ＲＦタグ領域が背表紙と本文の間に配置され、前記印字領域が表２又は表３に配置されるように前記ＲＦタグラベルを貼る態様が考えられる。また，他の態様としては，前記ＲＦタグ領域が表紙の折り返しで隠れ，前記印字領域が表紙の折り返しで隠れない位置に前記ＲＦタグラベルを貼る態様が考えられる。更に，他の態様としては，前記ＲＦタグ領域を挟むように２つの前記印字領域を前記ＲＦタグラベル内に設け，前記ＲＦタグ領域が背表紙と本文の間に配置され、一つの前記印字領域は表２に配置され，もう一つの前記印字領域は表３に配置されるように前記ＲＦタグラベルを貼る態様が考えられる。
【００１５】
更に，第３の発明は，ＩＣチップとアンテナを有するＲＦタグが実装されるＲＦタグ領域が設けられ，更に，前記ＲＦタグに記憶されるデータのバックアップとなる印字データを印字する印字領域が前記ＲＦタグ領域とは別に設けられたＲＦタグラベルを用いた書籍の製造方法であって，エンコード機能付きのラベルプリンタを用いて，前記ＲＦタグラベルの前記ＲＦタグを発行し，更に，前記ＲＦタグラベルの前記印字領域に前記バックアップデータを印字した後，無線綴じ製本加工した際，前記ＲＦタグ領域が書籍の部位によって隠れ，前記印字領域が書籍の部位によって隠れない位置に前記ＲＦタグラベルを貼り付けた表紙シートを製造し，前記表紙シートを用いて無線綴じ製本加工することを特徴とする書籍の製造方法である。
【００１６】
また，第４の発明は，ＩＣチップとアンテナを有するＲＦタグが実装されるＲＦタグ領域が設けられ，更に，前記ＲＦタグに記憶されるデータのバックアップとなる印字データを印字する印字領域が前記ＲＦタグ領域とは別に設けられたＲＦタグラベルを用いた書籍の製造方法であって，エンコード機能付きのラベルプリンタを用いて，前記ＲＦタグラベルの前記印字領域に印字データを印字した後，無線綴じ製本加工した際，前記ＲＦタグラベルの前記ＲＦタグ領域が書籍の部位によって隠れ，前記印字領域が書籍の部位によって隠れない位置に前記ＲＦタグラベルを貼り付けた表紙シートを製造し，該ラベルプリンタとは異なる発行装置を用いて前記表紙シートに貼り付けられた前記ＲＦタグラベルの前記ＲＦタグを発行してから，前記表紙シートを用いて無線綴じ製本加工することを特徴とする書籍の製造方法である。
【００１７】
更に，第５の発明は，ＩＣチップとアンテナを有するＲＦタグが実装されるＲＦタグ領域が設けられ，更に，前記ＲＦタグに記憶されるデータのバックアップとなる印字データを印字する印字領域が前記ＲＦタグ領域とは別に設けられたＲＦタグラベルを用いた書籍の製造方法であって，無線綴じ製本加工した際，前記ＲＦタグ領域が書籍の部位によって隠れ，前記印字領域が書籍の部位によって隠れない位置に貼り付けた表紙シートを製造し，発行装置を用いて前記表紙シートに貼り付けられた前記ＲＦタグラベルの前記ＲＦタグを発行し，非接触のマーキング装置を用いて前記表紙シートに貼り付けられた前記ＲＦタグラベルの前記印字領域に前記バックアップデータを印字してから，前記表紙シートを用いて無線綴じ製本加工することを特徴とする書籍の製造方法である。
【００１８】
第３の発明から第５の発明は，第１の発明に記載したＲＦタグ付き書籍の製造に係わる発明で，書籍管理に係わる処理に利用するデータ，例えば，ＲＦタグのＩＣチップ製造時に予め記憶されている固有データや，ＩＣチップに書き込んだデータなどから，ＲＦタグラベルの印字領域に印字するバックアップデータを生成することで，ＲＦタグ毎にバックアップデータが異なる場合でも対応を取れるようになる。
【００１９】
また，第４の発明及び第５の発明のように，前記ＲＦタグラベルを前記表紙シートに貼り付けた後に，前記ＲＦタグラベルの前記ＲＦタグを発行することで，製本加工する前に，前記表紙シートに貼り付けた前記ＲＦタグラベルの故障を検知することができるようになり，前記ＲＦタグラベルが故障している前記表紙シートを製本加工に流すことを防止できる。
【発明の効果】
【００２０】
このように，本発明によれば，書籍の背表紙の内側など，ＲＦタグを隠した状態で書籍に貼り付けた場合であっても，ＲＦタグに記憶されているデータのバックアップデータが目視や装置で読み取れるように表示されるＲＦタグ付き書籍を提供でき，更に，ＲＦタグ毎にバックアップデータが異なる場合でも対応を取れるようになる。
【図面の簡単な説明】
【００２１】
【図１】本実施形態におけるＲＦタグ付き書籍を説明する図。
【図２】ＲＦタグラベルを説明する図。
【図３】アンテナとＩＣチップの接続を説明する図。
【図４】ＲＦタグ付き書籍の製造方法を説明する図。
【図５】ＲＦタグが貼られた表紙シートを説明する図。
【図６】ＲＦタグラベルを左右逆にして貼り付けたＲＦタグ付き書籍を説明する図。
【図７】印字領域を両側に設けたＲＦタグラベルを説明する図。
【図８】ＲＦタグ領域のみを貼り付けたＲＦタグ付き書籍を説明する図。
【発明を実施するための形態】
【００２２】
ここから，本願発明の実施形態について，本願発明の技術分野に係わる当業者が，本願発明の内容を理解し，本願発明を実施できる程度に説明する。
【００２３】
図１は，本実施形態におけるＲＦタグ付き書籍１を説明する図である。図１で図示したＲＦタグ付き書籍１は，ＲＦタグラベル２が貼られた縦書きの書籍で，ＲＦタグラベル２には，ＲＦタグ３に加え，ＲＦタグ３に記憶しているデータのバックアップデータ２２が印字され，ＲＦタグラベル２は，ＲＦタグ３がＲＦタグ付き書籍１の背表紙１１と本文１２で隠れ，バックアップデータ２２がＲＦタグ付き書籍１の表紙１０の表２に現れるように貼られている。
【００２４】
図１では，ＲＦタグラベル２に印字されるバックアップデータ２２を１次元のバーコードとしているが，ＲＦタグラベル２に印字されるバックアップデータ２２の形態は任意で，アルファベットや数字のみでバックアップデータ２２を印字してもよく，また，バックアップデータ２２は２次元バーコードであってもよい。
【００２５】
ＲＦタグラベル２のＲＦタグ３をＲＦタグ付き書籍１の部位で隠し，バックアップデータ２２がＲＦタグ付き書籍１の部位で隠れないように，ＲＦタグラベル２をＲＦタグ付き書籍１に貼る手法としては様々考えられるが，図１で図示したＲＦタグ付き書籍１では，特許文献１や特許文献２に記載があるように，ＲＦタグ３を背表紙１１の内側に配置し，バックアップデータ２２を表紙１０の表2に配置するようにＲＦタグラベル２が貼られている。
【００２６】
ＲＦタグラベル２のＲＦタグ３を書籍の部位で隠れるようにＲＦタグラベル２を貼ることで，ＲＦタグ３が書籍から取り外される可能性を低くすることができ，また，ＲＦタグ３に記憶しているデータのバックアップデータ２２を書籍の部位で隠れないように貼ることで，ＲＦタグ３が故障した場合であっても，バックアップデータ２２を利用して書籍管理に係わる処理を行うことができるようになる。
【００２７】
更に，書籍管理に係わる処理に利用するデータ，例えば，ＲＦタグ３のＩＣチップ製造時に予め記憶されている固有データや，ＩＣチップ３０に書き込んだデータなどから，ＲＦタグラベル２の印字領域２１に印字するバックアップデータ２２を生成することで，ＲＦタグ３毎にバックアップデータ２２が異なる場合でも対応を取れるようになる。
【００２８】
図２は，ＲＦタグラベル２を説明する図で，図２（ａ）はＲＦタグラベル２の外観図，図２（ｂ）はＲＦタグラベル２の断面の第１図，図２（ｃ）はＲＦタグラベル２の断面の第２図である。
【００２９】
図２（ａ）に図示したように，ＲＦタグ付き書籍１に貼るＲＦタグラベル２には，アンテナ３１とＩＣチップ３０を有するＲＦタグ３が実装されるＲＦタグ領域２０に加え，ＲＦタグ領域２０とは別に，ＲＦタグ３に記憶しているデータのバックアップデータ２２が印字される印字領域２１が設けられている。なお，本発明の説明では，図２（ａ）のように，ＲＦタグラベル２の表面側からＲＦタグ３を視認できるかのように図示しているが，実際は，図２（ｂ），（ｃ）のように，ＲＦタグラベル２のラベル面の内側にＲＦタグ３は配置されるため，ＲＦタグラベル２のラベル面からＲＦタグ３を視認できない。
【００３０】
ＲＦタグラベル２の構造は様々あるが，図２（ｂ），（ｃ）に，ＲＦタグラベル２の構造を例示しておく。図２（ｂ）で例示したＲＦタグラベル２ａの構造は，ラベル表紙２ａ１，接着層２ａ２及び台紙２ａ３から構成される３層構造で，ラベル表紙２ａ１の裏面にＲＦタグ３は実装されている。また，台紙は接着層２ａ２から剥離可能で，台紙２ａ３を接着層２ａ３から剥離することで貼り付け可能になる。
【００３１】
図２（ｃ）で例示したＲＦタグラベル２の構造は，ラベル表紙２ｂ１，接着層２ｂ２，基材２ｂ３，接着層２ｂ４及び台紙２ｂ５から構成される５層構造で，基材２ｂ３の表面にＲＦタグ３は実装されている。また，台紙２ｂ５は接着層２ｂ４から剥離可能で，台紙２ｂ５を剥離することで貼り付け可能になる。
【００３２】
なお，上述しているように，図２（ｂ），（ｃ）で図示したＲＦタグラベル２の構造は例に過ぎず，ＲＦタグラベル２には，例えば，図２（ｂ），（ｃ）に図示しているように，印字可能なラベル表紙２ａ１，２ｂ１を有し，ＲＦタグ３を実装するＲＦタグ領域２０とは別にバックアップデータ２２を印字する印字領域２１が設けられていればよい。
【００３３】
図３は，ＲＦタグ３におけるアンテナ３１とＩＣチップ３０の接続を説明する図である。ＲＦタグ３におけるアンテナ３１とＩＣチップ３０の接続は，図３（ａ）に図示したように，ハンダや導電性接着剤などによってアンテナ３１とＩＣチップ３０を電気的に接続さているが，ＲＦタグ付き書類１の製本工程や輸送時などの衝撃によって，アンテナ３１とＩＣチップ３０の接合部が切断される可能性があるため，ＲＦタグラベル２の故障発生率が高い場合には，特開２００９−１３４５１５号公報に記載しているようなストラップを利用するとよい。
【００３４】
図３（ｂ）は，ストラップ３０ａを利用した形態を説明する図で，外部装置からの電波を受信するアンテナ３１ａの近傍にストラップ３０ａが配置され，ストラップ３０ａにおいては，アンテナ３１ａの近傍に生じる電磁界から誘起電圧を発生する２次アンテナ３０ａ２がＩＣチップ３０ａ１に接続されている。
【００３５】
ここから，図１で図示したＲＦタグ付き書籍１の製造方法について説明する。図４は，図１で図示したＲＦタグ付き書籍１の製造方法を説明する図である。
【００３６】
図１で図示したＲＦタグ付き書籍１を製造する際，ＲＦタグラベル２は，複数配置された形態（図４では，ロール形態）でエンコード機能付きのラベルプリンタ４に供給され，ラベルプリンタ４において，ＲＦタグラベル２に実装されたＲＦタグ３とデータの読み書きが実行されることで発行され，更に，ＲＦタグラベル２の印字領域２１に印字するバックアップデータ２２が生成され，ＲＦタグラベル２の印字領域２１にバックアップデータ２２が印字された後，ＲＦタグラベル２は一枚ずつ断裁される。
【００３７】
ＲＦタグラベル２を発行・印字すると，ＲＦタグ３がＲＦタグ付き書籍１の部位で隠れ，バックアップデータ２２がＲＦタグ付き書籍１の部位で隠れないようにＲＦタグラベル２を表紙シート１００に貼り付けることで，ＲＦタグ３が貼られた表紙シート１００が製造される。
【００３８】
図５は，ＲＦタグ３が貼られた表紙シート１００を説明する図である。図５で図示した表紙シート１００において，ＲＦタグラベル２は，ＲＦタグ３がＲＦタグ付き書籍１の部位で隠れ，バックアップデータ２２がＲＦタグ付き書籍１の部位で隠れないようにするために，ＲＦタグラベル２のＲＦタグ領域２０が背表紙１１の裏側になり，ＲＦタグラベル２の印字領域２１が表紙１０の表2に表示される位置に貼り付けられている。
【００３９】
そして，ＲＦタグラベル２が貼られた表紙シート１００が製造すると，ホットメルト接着剤を用いて，ＲＦタグラベル２が貼られた表紙シート１００とＲＦタグ付き書籍1の本文１２となる冊子体１２０を接着することで，図１で図示したＲＦタグ付き書籍１を製造する。
【００４０】
なお、本発明は、これまで説明した実施の形態に限定されることなく、種々の変形や変更が可能である。
【００４１】
（ＲＦタグラベルの貼り方の変形例）
本実施形態におけるＲＦタグ付き書籍１においては，ＲＦタグ３がＲＦタグ付き書籍１の部位で隠れ，バックアップデータ２２がＲＦタグ付き書籍１の部位で隠れないようにするために，ＲＦタグラベル２のＲＦタグ領域２０が背表紙１１の内側になり，ＲＦタグラベル２の印字領域２１が表紙１０の表2に表示されるように貼り付けられているが，ＲＦタグラベル２の貼り方は上述した実施形態に限定されない。
【００４２】
図６は，ＲＦタグラベル２を左右逆にして貼り付けたＲＦタグ付き書籍５を説明する図である。図６（ａ）では，ＲＦタグラベル２の左右を逆にして貼ることで，一般的な縦書きの書籍において，ＲＦタグラベル２のＲＦタグ領域２０が背表紙１１の内側になり，ＲＦタグラベル２の印字領域２１が表紙５０の表３に表示されるように，ＲＦタグラベル２が貼り付けられている。
【００４３】
図６（ｂ）は，表紙の折り返しを利用してＲＦタグ３を隠すようにしたＲＦタグ付き書籍６である。図６（ｂ）では，表紙６０の折り返し６１でＲＦタグラベル２のＲＦタグ領域２０が隠れ，ＲＦタグラベル２の印字領域２１が表紙６０の折り返し６１で隠れない位置にＲＦタグラベル２が貼り付けられている。
【００４４】
図６（ｃ）は，カバーの折り返しを利用してＲＦタグ３を隠すようにしたＲＦタグ付き書籍７である。図６（ｃ）では，カバー７１の折り返し７２でＲＦタグラベル２のＲＦタグ領域２０が隠れ，ＲＦタグラベル２の印字領域２１がカバー７１の折り返し７２で隠れない位置にＲＦタグラベルが貼り付けられている。
【００４５】
図６で図示したいずれの変形例においても，ＲＦタグ付き書籍１を製造する際に，ＲＦタグラベル２を表紙シート１００に貼る位置を変更することで製造が可能である。
【００４６】
（ＲＦタグラベルの変形例）
次に，ＲＦタグラベルの変形例について説明する。上述した本実施形態において，ＲＦタグラベル２の片側にのみ印字領域２１を設けていたが，印字領域２１をＲＦタグラベル２の両側に設けることもできる。
【００４７】
図７は，印字領域を両側に設けたＲＦタグラベル８２を説明する図である。図７（ａ）に図示しているように，印字領域８２１ａ，ｂを両側に設けたＲＦタグラベル８２においては，ＲＦタグ３が実装されるＲＦタグ領域８２０の両側に印字領域８２１ａ，ｂが設けられ，それぞれの印字領域８２１ａ，ｂに，ＲＦタグ３に記憶されているデータのバックアップデータ８２２が印字されている。
【００４８】
図７（ｂ）は，図７（ａ）で図示したＲＦタグラベル８２を貼り付けたＲＦタグ付き書籍８で，ＲＦタグラベル８２のＲＦタグ領域８２０が背表紙８１１の裏側になり，ＲＦタグラベル８２の印字領域８２１ｂが表紙８１０の表2に表示され，ＲＦタグラベル８２の印字領域８２１ａが表紙８１０の表３に表示されるように貼り付けられている。
【００４９】
（ＲＦタグラベルの貼り方とＲＦタグラベルを変えた変形例）
次に，ＲＦタグラベルの変形例について説明する。上述した本実施形態において，ＲＦタグラベル２のＲＦタグ領域２０を本文１２に貼り付け，ＲＦタグラベル２の印刷領域２１を表紙１０の表２に貼り付けていたが，ＲＦタグラベル２のＲＦタグ領域２０のみを本文１２に貼り付け，ＲＦタグラベル２の印刷領域２１を表紙１０の表２に貼り付けずに，ＲＦタグラベル２の印刷領域２１が表紙１０の表２から浮くようにすることもできる。
【００５０】
図８は，ＲＦタグラベル９２のＲＦタグ領域９２０のみを貼り付けたＲＦタグ付き書籍９を説明する図である。図８（ａ）は，ＲＦタグ付き書籍９の外観図で，ＲＦタグ付き書籍９には，ＲＦタグラベル９２のＲＦタグ領域９２０が背表紙９１１と本文９２０の間に挟まれるように貼り付けられ，ＲＦタグラベル９２の印字領域９２１は表紙９１０の表2に表示されているが，ＲＦタグラベル９２の印字領域９２１は表紙９１０の表２に貼り付けられておらず，ＲＦタグラベル９２の印字領域９２１は表紙９１０の表２から浮いた状態になっている。
【００５１】
図８（ｂ）は，ＲＦタグ付き書籍９に貼られているＲＦタグラベル９２を説明する図である。図８（ｂ）に図示したように，ＲＦタグ付き書籍９に貼るＲＦタグラベル９２には，ＲＦタグ３が実装されるＲＦタグ領域２０に加え，ＲＦタグ領域９２０とは別に，ＲＦタグ３に記憶しているデータのバックアップデータ９２２が印字される印字領域９２１が設けられている。
【００５２】
図８（ｂ）は，ＲＦタグラベル９２の構造を説明する図で，ＲＦタグラベル９２の構造は，ラベル表紙９２ａ１，樹脂層９２ａ２及びラベル裏紙９２ａ３から構成される３層構造で，樹脂層９２ａ２は接着層ではなく，ＲＦタグラベル９２をＲＦラグ付き書籍９の表紙シートに貼る際，ＲＦタグラベル９２のＲＦタグ領域９２０に対応するラベル裏紙９２ａ３の領域に接着材が塗布される。
【００５３】
（ＲＦタグ付き書籍の製造方法の変形例１）
上述した本実施形態におけるＲＦタグ付き書籍の製造方法においては，発行・印字後のＲＦタグラベル２を表紙シート１００に貼り付けていたが，ＲＦタグラベル２を表紙シート１００に貼り付けた後に，ＲＦタグラベル２を発行するようにすると，表紙シート１００に貼り付けたＲＦタグラベル２の故障を検出することができるようになる。
【００５４】
表紙シート１００に貼り付けられたＲＦタグラベル２の故障を検出できるようになれば，製本加工を外注委託するときなど，故障しているＲＦタグラベル２が貼られた表紙シート１００を製本工程に流れるのを防止できるようになる。
【００５５】
ＲＦタグ付き書籍の製造方法の変形例１では，エンコード機能付きのラベルプリンタを用いて，表紙シート１００に貼られるＲＦタグラベル２の印字領域２１にバックアップデータ２２を印字のみを施しておき，ＲＦタグラベル２に実装されたＲＦタグ３の発行は実施しない。なお，ＲＦタグ３の製造時に決定され，ＩＣチップ３０に記憶される固有データをバックアップデータ２２に含ませる場合，バックアップデータ２２を印字する際に固有データを読み取っておく。
【００５６】
そして，バックアップデータ２２が印字されたＲＦタグラベル２を表紙シート１００の所定位置に貼り付けた後，ＲＦタグ３の発行専用機を用いて，表紙シート１００に貼られたＲＦタグラベル２のＲＦタグ３を発行し，発行に失敗した表紙シート１００を取り除いておく。
【００５７】
（ＲＦタグ付き書籍の製造方法の変形例２）
ＲＦタグ付き書籍の製造方法の変形例２は，表紙シート１００にＲＦタグラベル２が貼り付けられた状態で，ＲＦタグラベル２を発行・印字するようにした変形例である。
【００５８】
ＲＦタグ付き書籍の製造方法の変形例２ではラベルプリンタは使用されず，ＲＦタグラベル２の印字領域２１にバックアップデータ２２が印字されていない状態のＲＦタグラベル２を表紙シート１００の所定位置に貼り付けた後，非接触のマーキング装置（例えば，レーザマーカ）などを用いて，表紙シート１００に貼り付けられたＲＦタグラベル２の印字領域２１にバックアップデータ２２を印字すると共に，ＲＦタグ３の発行専用機を用いて，表紙シート１００に貼り付けられたＲＦタグラベル２のＲＦタグ３を発行する。
【符号の説明】
【００５９】
１    ＲＦタグ付き書籍
１０  表紙
１１  背表紙
１２  本文
２    ＲＦタグラベル
２０  ＲＦタグ領域
２１  印字領域
２２  バックアップデータ
３    ＲＦタグ
３０  ＩＣチップ
３１  アンテナ
【図１】
0005487868.tif 000002
【図２】
0005487868.tif 000003
【図３】
0005487868.tif 000004
【図４】
0005487868.tif 000005
【図５】
0005487868.tif 000006
【図６】
0005487868.tif 000007
【図７】
0005487868.tif 000008
【図８】
0005487868.tif 000009